(57)【要約】      （修正有）【課題】発光モジュールを内蔵する筐体の背面に電極ピンが突出されてなる発光ユニットと、発光ユニットが嵌合される凹入部を有するホルダーと、の組み合わせによって構成されている補助的ＬＥＤ照明器具において、その薄型化を促進しやすくする。【解決手段】電極ピン１３の根元側端部の半田付け突起３２を、回路基板２０の貫通孔に挿通させて貫通孔周囲の板面に形成されている半田ランドに半田付けすることによって、電極ピン１３を回路基板２０に固定する。ホルダーの凹入部の底面に回転方向に延びる円弧状の突起を設けることによって、凹入部内で発光ユニット１０を円滑に回転操作できるようにする。また、発光モジュールの回路基板２０に、平滑用電解コンデンサを省略した電源回路を形成する。【選択図】図２
0003205484.tif 000002
【実用新案登録請求の範囲】
【請求項１】
光源としてのＬＥＤを有する発光モジュールを内蔵する偏平な円形の筐体の背面に、その発光モジュールの回路基板に固定された電極ピンが突出されてなる発光ユニットと、この発光ユニットが嵌合される凹入部を有し、かつ、この凹入部に嵌合させた上記発光ユニットをその凹入部内で回転操作することによって上記電極ピンに接触する接触端子を具備するソケットを備えるホルダーと、によって構成される補助的ＬＥＤ照明器具であって、
上記電極ピンは、その根元側端部の半田付け突起を上記回路基板に開設された貫通孔に挿通させてその貫通孔周囲の板面に形成されている半田ランドに半田付けすることによって、その回路基板に固定されていることを特徴とする補助的ＬＥＤ照明器具。
【請求項２】
上記電極ピンに具備された鍔面と上記半田ランドに盛られた半田とによって上記回路基板が挟み付けられている請求項１に記載した補助的ＬＥＤ照明器具。
【請求項３】
上記ホルダーの凹入部の底面に、その凹入部内で回転操作される上記発光ユニットの筐体の背面に摺動可能に点接触又は線接触する突起が設けられている請求項１又は請求項２に記載した補助的ＬＥＤ照明器具。
【請求項４】
上記突起が、上記発光ユニットの回転方向に延びる複数箇所の円弧状リブでなる請求項３に記載した補助的ＬＥＤ照明器具。
【請求項５】
上記発光モジュールの回路基板に、平滑用電解コンデンサを省略した電源回路が形成されている請求項１ないし請求項４のいずれか１項に記載した補助的ＬＥＤ照明器具。
【考案の詳細な説明】
【技術分野】
【０００１】
本考案は、局所照明に適する補助的ＬＥＤ照明器具に関する。
【背景技術】
【０００２】
天井面などの埋込孔に埋設される非常灯としての照明器具が公知である（たとえば、特許文献１参照）。この特許文献１によって開示されているものは、天井面の埋込孔に取り付けられた器具本体に対して、バッテリーパックと共に、光源としてのＬＥＤを有する偏平な円形の光源モジュールが着脱可能な構成になっている。
【０００３】
一方、従来の局所照明用の補助的ＬＥＤ照明器具は、光源としてのＬＥＤを有する発光モジュールを内蔵する偏平な円形の筐体の背面に、その発光モジュールの回路基板に固定された電極ピンが突出されてなる発光ユニットと、この発光ユニットが嵌合される凹入部を有して、この凹入部に嵌合させた上記発光ユニットをその凹入部内で回転操作することによって上記電極ピンに接触する接触端子を具備するソケットが組み付けられたホルダーと、によって構成されていた。この従来例の概略構成などを図８〜図１１を参照して次に説明する
【０００４】
図８は補助的ＬＥＤ照明器具の部分縦断側面図である。図例の補助的ＬＥＤ照明器具は、背面に径小な円形凸部１２が具備された円形の筐体１１に光源としてのＬＥＤを有する発光モジュール（不図示）を内蔵させてなる発光ユニット１０と、この発光ユニット１０が嵌合される凹入部５１を有するホルダー５０とによって構成されている。また、発光ユニット１０の筐体１１の背面には、上記発光モジュールの回路基板に固定された電極ピン１３が突出されているのに対し、ホルダー５０には、上記電極ピン１３の相手方接点としての接触端子（不図示）を具備するソケット６０が組み付けられている。そして、ホルダー５０の凹入部５１に嵌合させた発光ユニット１０をその凹入部５１内で所定の角度だけ一方向に回転操作すると、ソケット６０に挿入された電極ピン１３がソケット６０の接触端子に接触し、同時に電極ピン１３がホルダー５０側の凹入部５１の底壁５２に係合し、そうすることによって発光ユニット１０がホルダー５０に装着される。
【０００５】
図９は上記発光ユニット１０の部分縦断側面図、図１０は同発光ユニット１０の内部の回路基板２０を示した平面図、図１１は図９の要部の拡大図である。
【０００６】
上記発光モジュールの構成要素である回路基板２０には、所要数のＬＥＤを搭載したＬＥＤ実装基板（不図示）に接続された電源回路が形成されている。そのため、この回路基板２０には、ＬＥＤを発光させるのに必要な抵抗素子やその他の電子素子が実装されている。また、この回路基板２０は、その２箇所がビス１４を用いて筐体１１側のボス１５に固定されている。さらに、図９又は図１１に示したように、上記した電極ピン１３は、その根元側端部が径小な雄ねじ部１６になっていて、回路基板２０の貫通孔２１に挿通された雄ねじ部１６にナット１７をねじ込んで締め付けてあり、この構成により、電極ピン１３に具備されている鍔面１８とナット１７とにより回路基板２０が挟み付けられて電極ピン１３が回路基板２０に固定されている。
【０００７】
以上説明した従来の補助的ＬＥＤ照明器具は、仏壇の内部や宮付きベッドの宮（棚）、ベッド脇や通路の足元といった局所照明用として好適に用い得る。
【先行技術文献】
【特許文献】
【０００８】
【特許文献１】特開２０１５−１８５３８７号公報
【考案の概要】
【考案が解決しようとする課題】
【０００９】
しかしながら、上記した従来の補助的ＬＥＤ照明器具には次に説明する改善すべき点が知見された。
【００１０】
すなわち、従来の補助的ＬＥＤ照明器具では、発光ユニット１０の電極ピン１３の根元側端部の雄ねじ部１６を回路基板２０の貫通孔２１に挿通させてナット１７をねじ込むことによってその電極ピン１３を回路基板２０に固定するという方法を採用していたため、確実な固定状態を得るためには、ナット１７の雌ねじに噛み合う雄ねじ部１６のねじ山の数を比較的多くしておく必要があり、その結果として、図１１に示した回路基板２０からの雄ねじ部１６の突出幅Ｄが長くなることを避けられなかった。その一方で、図９に示した発光ユニット１０の筐体１１の高さＨは、雄ねじ部１６の上記突出幅Ｄの長さの影響を受けるため、突出幅Ｄが長いとそれに見合って筐体１１の高さＨを高くせざるを得ない。そのために、発光ユニット１０の薄型化を促進したいという要求に対処しにくかった。
【００１１】
また、発光モジュールの構成要素である回路基板２０には、上記したようにＬＥＤ実装基板に接続された電源回路が形成されているため、回路基板２０に、必要な電子素子の１つとして図１０に示した円柱状の平滑用電解コンデンサー１９が実装されていた。この平滑用電解コンデンサー１９は、家庭用の交流１００Ｖ電源から直流に変換するときに、電流がとぎれとぎれになってしまうことに起因するＬＥＤ点灯時の光のちらつきを抑制する作用を発揮する。そして、この平滑用電解コンデンサー１９の体積が他の電子素子に比べて大きく嵩高いことも、発光ユニット１０の薄型化を促進したいという要求に対処しにくい原因の１つになっていた。
【００１２】
本考案は以上の状況に鑑み、電極ピンを回路基板に固定する方法に工夫を講じることによって、発光ユニットの薄型化を促進しやすくなる補助的ＬＥＤ照明器具を提供することを目的とする
【００１３】
また、本考案は、回路基板によって形成される電源回路に、当該照明器具が局所照明に適する補助的なものであるという特性及び電気用品安全法（ＰＳＥマーク）の規定を勘案した一定の対策を講じることによって、発光ユニットの薄型化を促進しやすくなる補助的ＬＥＤ照明器具を提供することを目的とする
【００１４】
さらに、本考案は、薄型化された発光ユニットをホルダーに装着する際に予想される操作勝手の悪化を防ぐことのできる補助的ＬＥＤ照明器具を提供することを目的とする
【課題を解決するための手段】
【００１５】
本考案に係る補助的ＬＥＤ照明器具は、光源としてのＬＥＤを有する発光モジュールを内蔵する偏平な円形の筐体の背面に、その発光モジュールの回路基板に固定された電極ピンが突出されてなる発光ユニットと、この発光ユニットが嵌合される凹入部を有し、かつ、この凹入部に嵌合させた上記発光ユニットをその凹入部内で回転操作することによって上記電極ピンに接触する接触端子を備えたソケットを備えるホルダーと、によって構成されている。そして、上記電極ピンは、その根元側端部の半田付け突起を上記回路基板に開設された貫通孔に挿通させてその貫通孔周囲の板面に形成されている半田ランドに半田付けすることによって、その回路基板に固定されている。
【００１６】
この考案によると、従来の補助的ＬＥＤ照明器具に見られる図１１に示した電極ピンの固定構造のように、ナット１７の雌ねじに噛み合う雄ねじ部１６のねじ山の数を考慮する必要がなく、回路基板に対する半田付けによる電極ピンの固定強度だけを考慮すれば済むので、回路基板からの電極ピンの根元側端部の半田付け突起の突出幅を短く抑えることが容易になり、そのことが、発光ユニット１０の薄型化を促進することに役立つ。
【００１７】
本考案では、上記電極ピンに具備された鍔面と上記半田ランドに盛られた半田とによって上記回路基板が挟み付けられていることが望ましい。この構成であると、半田付けのみで電極ピンが回路基板にぐらつきなく固定される。
【００１８】
本考案では、上記ホルダーの凹入部の底面に、その凹入部内で回転操作される上記発光ユニットの筐体の背面に摺動可能に点接触又は線接触する突起が設けられている、という構成を採用することが望ましい。
【００１９】
ところで、薄型化された発光ユニットをホルダーの凹入部に嵌合させると、ホルダーからの発光ユニットの出幅が短かったり、場合によっては発光ユニットの全体がホルダーの凹入部に嵌合するという事態が生じるけれども、そのような場合でも、上記のようにホルダーの凹入部の底面に突起が設けられていると、発光ユニットがその突起に点接触又は線接触して摩擦抵抗が少なくなるので、発光ユニットを容易かつ円滑に回転操作することが可能になる。この作用は、上記突起が、上記発光ユニットの回転方向に延びる複数箇所の円弧状リブでなる、という構成を採用することで確実に発揮される。
【００２０】
本考案では、上記発光モジュールの回路基板に、平滑用電解コンデンサを省略した電源回路が形成されている、という構成を採用することが可能である。本考案に係る補助的ＬＥＤ照明器具は、室内の全体を照明するための照明器具とは異なり、局所照明に適する補助的なものであるという特性を有していて、この限りにおいて、電気用品安全法の対象商品から除外される。そのため、光のちらつきを防止しなければならないという法的制約を必ずしも受けなくなり、その結果、光のちらつきを防ぐ作用を発揮する平滑用電解コンデンサを省略することが可能であり、そうすることによって、嵩高な平滑用電解コンデンサによって発光ユニットの薄型化が阻害されることがなくなる。
【考案の効果】
【００２１】
以上のように、本考案によれば、電極ピンを回路基板に固定する方法に半田付けを採用したり、回路基板によって形成される電源回路から平滑用電解コンデンサーを省略したりすることによって発光ユニットの薄型化を促進しやすくなるという効果が奏される。また、薄型化された発光ユニットをホルダーに装着する際の回転操作を容易に行うことが可能になるという効果が奏される。
【図面の簡単な説明】
【００２２】
【図１】本考案の実施形態に係る補助的ＬＥＤ照明器具の部分縦断側面図である。
【図２】発光ユニットの部分縦断側面図である。
【図３】発光ユニットの内部の回路基板を示した平面図である。
【図４】図２の要部の拡大図である。
【図５】ホルダー５０の平面図である。
【図６】図５の要部の拡大図である。
【図７】突起と発光モジュールの筐体との接触状態を示した説明図である。
【図８】従来例による補助的ＬＥＤ照明器具の部分縦断側面図である。
【図９】従来例についての発光ユニットの部分縦断側面図である。
【図１０】従来例についての発光ユニット内部の回路基板を示した平面図である。
【図１１】図９の要部の拡大図である。
【考案を実施するための形態】
【００２３】
この実施形態の説明に際し、説明の便宜上、図８から図１１に示した要素と同一又は相応する要素にはそれらと同一の符号を用いている。
【００２４】
図１は本考案の実施形態に係る補助的ＬＥＤ照明器具の部分縦断側面図である。図例の補助的ＬＥＤ照明器具は、背面に径小な円形凸部１２が具備された円形の筐体１１に光源としてのＬＥＤを有する発光モジュール（不図示）を内蔵させてなる発光ユニット１０を有している。この発光ユニット１０は、筐体１１が、透光性を有する前カバー部３１を有していて、発光モジュールのＬＥＤの光がこの前カバー部３１を通して照射される。また、この補助的ＬＥＤ照明器具は、発光ユニット１０と、この発光ユニット１０が嵌合される凹入部５１を有するホルダー５０との組み合わせによって構成されている。そして、仏壇や宮付きベッドの宮などに設置されたホルダー５０に対して発光ユニット１０が着脱される。
【００２５】
図２は上記発光ユニット１０の部分縦断側面図、図３は同発光ユニット１０の内部の回路基板を示した平面図、図４は図２の要部の拡大図である。
【００２６】
発光ユニット１０に内蔵されている発光モジュールは、円形の回路基板２０を有し、この回路基板２０には、所要数のＬＥＤを搭載したＬＥＤ実装基板（不図示）に接続された電源回路が形成されている。そのため、この回路基板２０には、ＬＥＤを発光させるのに必要な抵抗素子やその他の電子素子が実装されている。また、この回路基板２０は、その２箇所がビス１４を用いて筐体１１側のボス１５に固定されている。さらに、回路基板２０には、半田付けによって電極ピン１３が固定されている。具体的には、電極ピン１３の根元側端部が円柱状の径小な半田付け突起３２として形成されていて、この半田付け突起３２が回路基板２０の貫通孔２１に挿通されていると共に、その半田付け突起３２が、貫通孔２１の周囲に形成されている円環状の半田ランド２２に半田付けされている。この構成により、電極ピン１３に具備されている鍔面１８と半田ランド２２に盛られた半田３４とによって回路基板２０が挟み付けられて電極ピン１３が回路基板２０に固定されている。このように電極ピン１３の半田付け突起３２を回路基板２０に半田付けによって固定すると、図１１を参照して説明した従来の補助的ＬＥＤ照明器具に見られる電極ピンの固定構造のようにナット１７の雌ねじに噛み合う雄ねじ部１６のねじ山の数を考慮する必要がなくなり、回路基板２０に対する半田付けによる電極ピン１３の固定強度だけを考慮すれば済むので、回路基板２０からの電極ピン１３の半田付け突起３２の突出幅Ｄ１を短く抑えることが容易になり、そのことが、発光ユニット１０の薄型化を促進することに役立つ。回路基板２０に半田付けによって固定された電極ピン１３は、図２のように発光ユニット１０の筐体１１の円形凸部１２からその背面側に突出されている。
【００２７】
次に、回路基板２０に形成されている電源回路は、ＬＥＤを発光させるのに必要な抵抗素子やその他の電子素子を備えているけれども、ＬＥＤによる発光のちらつきを抑制する作用を発揮する平滑用電解コンデンサーはこの電源回路からは省略されている。その理由は、実施形態に係る補助的ＬＥＤ照明器具が、室内の全体を照明するための照明器具とは異なり、局所照明に適する補助的なものであるという特性を有していて、この限りにおいて、電気用品安全法の対象商品から除外されているからである。このように、電源回路から平滑用電解コンデンサを省略することによって、発光ユニット１０の筐体１１の高さが、嵩高な平滑用電解コンデンサの体積による制約を受けなくなり、その結果として発光ユニット１０の筐体１１の高さＨ１（図２参照）が短くなってその薄型化が促進されている。
【００２８】
図５はホルダー５０の平面図、図６は図５の要部の拡大図、図７は突起５３と発光ユニット１０の筐体１１との接触状態を示した説明図である。
【００２９】
図５のように、ホルダー５０の凹入部５１には、ビス５４によって仕切り板が固定されていて、この仕切り板によって形成された底壁５２が形成されている。そして、この底壁５２の表面、すなわち凹入部５１の底面の周方向複数箇所に断面半円形状の円弧状リブでなる突起５３が形成されている。この突起５３の円弧形状は、凹入部５１に嵌合して回転操作される発光ユニット１０の回転方向に延びている。また、上記底壁５２の中央部に円形の径小な凹部５５が設けられていて、この凹部５５に径大な呼び込み孔部５６と径小な係合孔部５７とが、上記した発光ユニット１０の回転方向に向かって連続する形態で形成されている。
【００３０】
このように構成されたホルダー５０に発光ユニット１０を装着するときには、発光ユニット１０の筐体１１をホルダー５０の凹入部５１に嵌合させると共に、筐体１１の径小な円形凸部１２を凹入部５１の底壁５２の凹部５５に嵌合し、併せて、発光ユニット１０の電極ピン１３を、上記凹部５５の呼び込み孔部５６に挿入する。そして、この状態から、発光ユニット１０を手で掴んで凹入部５１内で所定の角度だけ一方向に回転操作して電極ピン１３を係合孔部５７側に回動させる。このようにして発光ユニット１０を回転操作すると、図１に仮想線で示したソケット６０、すなわち底壁５２の裏側空間に組み付けられているソケット６０に挿入された電極ピン１３がソケット６０の接触端子（不図示）に接触し、同時に電極ピン１３が係合孔部５７に係合して発光ユニット１０がホルダー５０に装着される。そして、発光ユニット１０が回転するときには、発光ユニット１０の筐体１１の背面が、図７のように円弧状リブでなる突起５３の頂部に線接触して摺動するため、接触抵抗が小さく抑えられて発光ユニット１０が円滑に回転する。
【００３１】
したがって、ホルダー５０の凹入部５１に嵌合された発光ユニット１０が薄型化されているために、その発光ユニット１０のホルダー５０からの出幅Ｔ（図１参照）が極めて短くなっていて、発光ユニット１０の突出部分を手で掴みにくいという状況下でも、その筐体１１の前カバー部３１の表面を手で押し付けて回転させるだけでその発光ユニット１０を楽に回転させることが可能になる。発光ユニット１０の全体がホルダー５０の凹入部５１に嵌合されてしまうという状況下でも同様のことが云える。なお、上記突起５３は円弧状リブによって形成する以外に、たとえば、円錐状の突起によっても形成することが可能であり、その場合には、発光ユニット１０の筐体１１の背面が突起の頂部に点接触して円滑に摺動する。
【００３２】
以上説明した本考案に係る補助的ＬＥＤ照明器具は、仏壇の内部や宮付きベッドの宮（棚）、ベッド脇や通路の足元といった局所照明用として好適に用い得る。
【符号の説明】
【００３３】
１０  発光ユニット
１１  筐体
１３  電極ピン
１８  鍔面
２０  回路基板
２１  貫通孔
２２  半田ランド
３２  半田付け突起（電極ピンの根元側端部）
３４  半田
５０  ホルダー
５１  凹入部
５３  突起（円弧状リブ）
６０  ソケット
【図１】
0003205484.tif 000003
【図２】
0003205484.tif 000004
【図３】
0003205484.tif 000005
【図４】
0003205484.tif 000006
【図５】
0003205484.tif 000007
【図６】
0003205484.tif 000008
【図７】
0003205484.tif 000009
【図８】
0003205484.tif 000010
【図９】
0003205484.tif 000011
【図１０】
0003205484.tif 000012
【図１１】
0003205484.tif 000013